(57)【要約】【課題】異物回収ボックス内に回収された異物を効率良く取り出し、回収した異物を取り出す際のメンテナンスが容易であって、かつ短時間に行なうことができる風力発電装置を提供する。【解決手段】本実施例に係る第一の風力発電装置１０Ａは、風車翼１１を取り付けたロータヘッド１２と、ロータヘッド１２を軸支するナセルと、前記ナセルを支持するタワーとを有する風力発電装置であって、風車翼１１の内部が中空であり、風車翼１１がロータヘッド１２と連結する翼根部１５を閉塞するように風車翼１１とロータヘッド１２との間に設けられる翼天板１６と、翼天板１６に風車翼１１とロータヘッド１２とを貫通可能な開口部１７を設け、翼天板１６のロータヘッド１２側に開口部１７を覆うように設けた異物回収ボックス１８と、異物回収ボックス１８に設けられ、異物回収ボックス１８内に回収した異物１９が排出されるのを防止する弁２０と、を有する。【選択図】図１
2010156293.tif 000002
【特許請求の範囲】
【請求項１】
風車翼を取り付けたロータヘッドと、前記ロータヘッドを軸支するナセルと、前記ナセルを支持するタワーとを有する風力発電装置であって、
前記風車翼の内部が中空であり、前記風車翼が前記ロータヘッドと連結する翼根部を閉塞するように前記風車翼と前記ロータヘッドとの間に設けられる翼天板と、
該翼天板に前記風車翼と前記ロータヘッドとを貫通可能な開口部を設け、前記翼天板の前記ロータヘッド側に前記開口部を覆うように設けた異物回収ボックスと、
前記異物回収ボックスに設けられ、前記異物回収ボックス内に回収した異物が排出されるのを防止する逆流防止部材と、を有することを特徴とする風力発電装置。
【請求項２】
請求項１において、
前記逆流防止部材が、前記風車翼側から前記ロータヘッド側に向かって前記異物回収ボックスの入口の幅を狭く傾斜して形成される弁であることを特徴とする風力発電装置。
【請求項３】
請求項１又は２において、
前記開口部が、前記翼天板の中央部分又は外周付近に設けられることを特徴とする風力発電装置。
【請求項４】
請求項１乃至３の何れか一つにおいて、
前記開口部が、前記翼天板に複数設けられていることを特徴とする風力発電装置。
【請求項５】
請求項１乃至４の何れか一つにおいて、
前記風車翼の内側に異物を前記開口部内に集めるガイドが設けられてなることを特徴とする風力発電装置。
【請求項６】
請求項１乃至５の何れか一つにおいて、
前記逆流防止部材が、前記異物回収ボックスの内側に異物を吸着する接着部であることを特徴とする風力発電装置。
【請求項７】
請求項１乃至６の何れか一つにおいて、
前記異物回収ボックスが、前記翼天板に回動可能に設けられていることを特徴とする風力発電装置。
【請求項８】
請求項１乃至７の何れか一つにおいて、
前記異物回収ボックス内に回収された異物を捕集する異物回収袋が設けられていることを特徴とする風力発電装置。
【請求項９】
請求項１乃至８の何れか一つにおいて、
前記異物回収ボックスと前記翼天板との接触部にパッキンが設けられていることを特徴とする風力発電装置。
【請求項１０】
請求項１乃至９の何れか一つにおいて、
前記異物回収ボックスの少なくとも一部が透明部材で形成されていることを特徴とする風力発電装置。
【発明の詳細な説明】
【技術分野】
【０００１】
本発明は、自然エネルギーの風を回転力に変換する風車を用いて発電を行う風力発電装置に関する。
【背景技術】
【０００２】
従来、自然エネルギーである風力を利用して発電を行う風力発電装置が知られている。複数の翼に風力を作用させて回転力を発生させ、該回転力によりロータヘッドを介して発電機を駆動するようにした風力発電設備が丘陵上や山上等の高所あるいは洋上等の高風速が得られる場所に多数併設され、高出力の発電能力を備えるようにしている。
【０００３】
従来の風力発電装置１００の構成を簡略に示す一例を図１２に示す。図１２に示すように、従来の風力発電装置１００は、タワー（支柱）１０１上に設置されたナセル１０２に、風車翼１０３を取り付けたロータヘッド１０４と、このロータヘッド１０４と一体に回転するよう連結された主軸１０５と、風車翼１０３に風力を受けて回転する主軸１０５を連結した増速機１０６と、増速機１０６の軸出力によって駆動される発電機１０７とを設けたものである。また、支柱１０１は地面など基台１０９上に設置される。このように構成された風力発電装置１００においては、風力を回転力に変換する風車翼１０３を備えたロータヘッド１０４及び主軸１０５が回転して軸出力を発生し、主軸１０５に連結された増速機１０６を介して回転数を増速した軸出力が発電機１０７に伝達される。このため、風力を回転力に変換して得られる軸出力を発電機１０７の駆動源とし、発電機１０７の動力として風力を利用した発電を行うことができる。
【０００４】
また、風車翼１０３としては、軽量、高強度、製作容易性が要求されており、複合構造としてこれらの要求に対応するようにしている。例えば補強繊維を複数層積層した積層構造とし、その積層構成を最適化することで、高い曲げ疲労強度を有すると共に、軽量な構造体としたものが提案されている（例えば、特許文献１参照）。
【０００５】
また、図１３に示すように、従来の風車翼１１０として、例えば外皮１１１と主桁１１２との２つの部材で構成され、これらを組み立てることで所定の全体構造を形成する。外皮１１１は、図１４に示すように、腹側１１１ａと背側１１１ｂとからなる二分割構造で形成され、主桁１１２も二分割１１２ａ、１１２ｂされ、主桁１１２ａ、１１２ｂが外皮１１１の腹側１１１ａ、背側１１１ｂに接着剤１１３により固定されている。よって、従来の風車翼１１０は、工程法問わず、主桁の形状、寸法に応じて用意に複合構造として製造でき、風車翼としての要求を満たすようにしている（例えば、特許文献２参照）。
【０００６】
また、主桁構造と風車翼とを固定する際、接着剤が用いられているが、主桁構造と風車翼との固定を十分に行なうため接着剤を多めにして付けているため、はみだした接着剤が風車翼から剥離する場合がある。この剥離した接着剤がロータヘッドが回転するたびに翼内部を動き回り、騒音を発生する。
【０００７】
そのため、従来では、図１５に示すように、接着剤に起因して発生した異物１２１を回収するために異物回収ボックス１２２を翼１２３の内部に設け、翼内部で発生した異物１２１を回収する方法が提案されている（例えば、特許文献３参照）。
【０００８】
【特許文献１】特開２００２−１３７３０７号
【特許文献２】特開２００２−３５７１７６号
【特許文献３】国際公開第２００６−０６９５７５  Ａ１号パンフレット
【発明の開示】
【発明が解決しようとする課題】
【０００９】
しかしながら、従来の異物を回収する異物回収ボックスを備えた風力発電装置は、異物回収ボックスが翼内部に設けられているため、メンテナンス時の異物回収が困難であると共に、メンテナンスに長時間要する、という問題がある。
【００１０】
また、今後、風力発電装置が大型化してくるに伴い風車翼も大型化し、発生する異物も多くなるため、更に異物回収ボックス内に回収された異物を除去する回数も多くなり、メンテナンスの回収も多くなることが考えられる。
【００１１】
このため、異物回収ボックス内に回収された異物を効率良く取り出し、メンテナンスが容易、かつ、短時間に行なえる風力発電装置の出現が切望されている。
【００１２】
本発明は、前記問題に鑑み、異物回収ボックス内に回収された異物を効率良く取り出し、回収した異物を取り出す際のメンテナンスが容易であって、かつ短時間に行なうことができる風力発電装置を提供することにある。
【課題を解決するための手段】
【００１３】
上述した課題を解決するための本発明の第１の発明は、風車翼を取り付けたロータヘッドと、前記ロータヘッドを軸支するナセルと、前記ナセルを支持するタワーとを有する風力発電装置であって、前記風車翼の内部が中空であり、前記風車翼が前記ロータヘッドと連結する翼根部を閉塞するように前記風車翼と前記ロータヘッドとの間に設けられる翼天板と、該翼天板に前記風車翼と前記ロータヘッドとを貫通可能な開口部を設け、前記翼天板の前記ロータヘッド側に前記開口部を覆うように設けた異物回収ボックスと、前記異物回収ボックスに設けられ、前記異物回収ボックス内に回収した異物が排出されるのを防止する逆流防止部材と、を有することを特徴とする風力発電装置にある。
【００１４】
第２の発明は、第１の発明において、前記逆流防止部材が、前記風車翼側から前記ロータヘッド側に向かって前記異物回収ボックスの入口の幅を狭く傾斜して形成される弁であることを特徴とする風力発電装置にある。
【００１５】
第３の発明は、第１又は２の発明において、前記開口部が、前記翼天板の中央部分又は外周付近に設けられることを特徴とする風力発電装置にある。
【００１６】
第４の発明は、第１乃至３の何れか一つの発明において、前記開口部が、前記翼天板に複数設けられていることを特徴とする風力発電装置にある。
【００１７】
第５の発明は、第１乃至４の何れか一つの発明において、前記風車翼の内側に異物を前記開口部内に集めるガイドが設けられてなることを特徴とする風力発電装置にある。
【００１８】
第６の発明は、第１乃至５の何れか一つの発明において、前記逆流防止部材が、前記異物回収ボックスの内側に異物を吸着する接着部であることを特徴とする風力発電装置にある。
【００１９】
第７の発明は、第１乃至６の何れか一つの発明において、前記異物回収ボックスが、前記翼天板に回動可能に設けられていることを特徴とする風力発電装置にある。
【００２０】
第８の発明は、第１乃至７の何れか一つの発明において、前記異物回収ボックス内に回収された異物を捕集する異物回収袋が設けられていることを特徴とする風力発電装置にある。
【００２１】
第９の発明は、第１乃至８の何れか一つの発明において、前記異物回収ボックスと前記翼天板との接触部にパッキンが設けられていることを特徴とする風力発電装置にある。
【００２２】
第１０の発明は、第１乃至９の何れか一つの発明において、前記異物回収ボックスの少なくとも一部が透明部材で形成されていることを特徴とする風力発電装置にある。
【発明の効果】
【００２３】
本発明によれば、風車翼を取り付けたロータヘッドと、前記ロータヘッドを軸支するナセルと、前記ナセルを支持するタワーとを有する風力発電装置であって、前記風車翼の内部が中空であり、前記風車翼が前記ロータヘッドと連結する翼根部を閉塞するように前記風車翼と前記ロータヘッドとの間に設けられる翼天板と、該翼天板に前記風車翼と前記ロータヘッドとを貫通可能な開口部を設け、前記翼天板の前記ロータヘッド側に前記開口部を覆うように設けた異物回収ボックスと、前記異物回収ボックスに設けられ、前記異物回収ボックス内に回収した異物が排出されるのを防止する逆流防止部材とを有している。このため、前記異物回収ボックス内に回収された異物を前記風車翼の外側に位置する前記翼天板の前記ロータヘッド側から効率良く取り出すことができ、回収した異物を取り出す際のメンテナンスを短時間で容易に行うことができる。
【発明を実施するための最良の形態】
【００２４】
以下、この発明につき図面を参照しつつ詳細に説明する。なお、この実施例によりこの発明が限定されるものではない。また、下記実施例における構成要素には、当業者が容易に想定できるもの、あるいは実質的に同一のものが含まれる。
【実施例１】
【００２５】
本発明による実施例１に係る風力発電装置について、図面を参照して説明する。
図１は、本発明による実施例１に係る風力発電装置の風車翼とロータヘッドとの構成の一部を簡略に示す図であり、図２は、異物回収ボックスの構成を簡略に示す概略構成図であり、図３は、図２のＡ−Ａ方向から見た図である。
図１乃至図３に示すように、本実施例に係る第一の風力発電装置１０Ａは、風車翼１１を取り付けたロータヘッド１２と、ロータヘッド１２を軸支するナセルと、前記ナセルを支持するタワー（支柱）とを有する風力発電装置であって、風車翼１１の内部が中空であり、風車翼１１がロータヘッド１２と連結する翼根部１５を閉塞するように風車翼１１とロータヘッド１２との間に設けられる翼天板１６と、翼天板１６に風車翼１１とロータヘッド１２とを貫通可能な開口部１７を設け、翼天板１６のロータヘッド１２側に開口部１７を覆うように設けた異物回収ボックス１８と、異物回収ボックス１８に設けられ、異物回収ボックス１８内に回収した異物１９が排出されるのを防止する弁（逆流防止部材）２０と、を有するものである。
また、開口部１７は翼天板１６の中央部分に設けるようにしている。また、風車翼１１はロータヘッド１２に翼旋回輪軸受２１により回転可能に支持され、異物回収ボックス１８は翼天板１６にボルト２２で固定されている。
なお、図１中、符号Ｒは、風車翼１１の回転方向を示している。
【００２６】
翼根部１５を閉塞するように風車翼１１とロータヘッド１２との間に翼天板１６を設け、この翼天板１６に風車翼１１とロータヘッド１２とを貫通可能な開口部１７を形成し、翼天板１６のロータヘッド１２側に開口部１７を覆うように異物回収ボックス１８を設けている。このため、風車翼１１に付けた接着剤などであって風車翼１１から脱落したカスなどに起因して風車翼１１の内部に発生した異物１９を開口部１７を介して異物回収ボックス１８内に回収することができる。このため、風車翼１１の回転の際に異物１９に起因して風車翼１１で発生する騒音を低減することができる。
【００２７】
また、異物回収ボックス１８は、翼天板１６のロータヘッド１２側に翼天板１６の開口部１７を覆うように設け、風車翼１１の外側に設けられている。このため、従来のような風車翼１１の内側に位置する翼天板１６の外側からではなく、風車翼１１の外側に位置する翼天板１６のロータヘッド１２側から翼天板１６を分解等することなく、異物回収ボックス１８内に回収された異物１９を取り出すことができる。また、異物回収ボックス１８内に回収された異物１９を取り出す際にそのメンテナンスを容易に行うことができると共に、メンテナンス時間を大幅に短縮することができる。
【００２８】
また、異物回収ボックス１８は、風車翼１１側からロータヘッド１２側に向かって異物回収ボックス１８の入口の幅を狭く傾斜して形成される弁２０を有している。即ち、弁２０は、翼天板１６から異物回収ボックス１８の底面の中心部分に向かって傾斜して形成さている。このため、風車翼１１の回転に伴って異物回収ボックス１８が風車翼１１より上側に位置しても、弁２０同士の端部２０ａが異物回収ボックス１８の底面の中心部分に向かって傾斜しているので、異物回収ボックス１８内から開口部１７に異物１９が移動するのを防止することができる。よって、風車翼１１が回転しても風車翼１１のピッチ角度に関係なく異物回収ボックス１８の異物１９を回収する機能は失われず、異物回収ボックス１８内に一度回収した異物１９は開口部１７から風車翼１１内に落下するのを防止することができる。
【００２９】
よって、本実施例に係る第一の風力発電装置１０Ａによれば、翼根部１５を閉塞するように風車翼１１とロータヘッド１２との間に設けられた翼天板１６と、この翼天板１６に風車翼１１とロータヘッド１２とを貫通可能な開口部１７を形成し、翼天板１６のロータヘッド１２側に開口部１７を覆うように設けられた異物回収ボックス１８と、異物回収ボックス１８に設けられ、異物回収ボックス１８内に回収した異物１９が排出されるのを防止する弁２０とを有している。このため、風車翼１１のピッチ角度に関わらず、異物回収ボックス１８内に異物１９を回収し、回収された異物１９が風車翼１１内部に戻り動き回ることがなくなるため、騒音を低減することができると共に、風車翼１１の外側に位置する翼天板１６のロータヘッド１２側から異物回収ボックス１８内の異物１９を取り出すことができるため、異物回収ボックス１８内に回収された異物１９を取り出す際のメンテナンスを短時間で容易に行うことができる。
【００３０】
また、本実施例に係る第一の風力発電装置１０Ａは、設置場所は特に限定されるものではなく、洋上、陸上、船上などで用いることができる。
【実施例２】
【００３１】
本発明による実施例２に係る風力発電装置について、図４を参照して説明する。
本実施例に係る風力発電装置は、前記図１乃至図３に示した実施例１に係る第一の風力発電装置１０Ａの構成と略同様であるため、前記図１乃至図３に示した実施例１に係る第一の風力発電装置１０Ａと同一構成には同一符号を付して重複した説明は省略する。
図４は、本発明による実施例２に係る風力発電装置の翼根部の部分構成を簡略に示す概略構成図である。
図４に示すように、実施例２に係る第二の風力発電装置１０Ｂは、前記図１〜図３に示した実施例１に係る第一の風力発電装置１０Ａの開口部１７を翼天板１６の中央部分から外周付近に設けたものである。即ち、翼天板１６の開口部１７は風車翼１１の回転方向Ｒにある風車翼１１の翼根部１５の近傍に設け、この開口部１７に対応するように翼天板１６のロータヘッド１２側に異物回収ボックス１８を設けている。
【００３２】
風車翼１１の回転方向Ｒにある風車翼１１の翼根部１５の近傍に翼天板１６の開口部１７を設け、この開口部１７に対応するように翼天板１６のロータヘッド１２側に異物回収ボックス１８を設置することで、風車翼１１の回転により回転方向Ｒにある風車翼１１に異物１９が移動してくるため、効率よく異物１９を回収することができる。
【００３３】
また、本実施例においては、風車翼１１の回転方向Ｒに開口部１７を設けているが、本発明はこれに限定されるものでなく、回転方向Ｒと反対側の風車翼１１の翼天板１６に開口部１７を設けるようにしてもよい。
【実施例３】
【００３４】
本発明による実施例３に係る第三の風力発電装置について、図５を参照して説明する。
本実施例に係る風力発電装置は、前記図１乃至図３に示した実施例１に係る第一の風力発電装置１０Ａの構成と略同様であるため、前記図１乃至図３に示した実施例１に係る第一の風力発電装置１０Ａと同一構成には同一符号を付して重複した説明は省略する。
図５は、本発明による実施例３に係る風力発電装置の翼根部の部分構成を簡略に示す概略構成図である。
図５に示すように、実施例３に係る風力発電装置１０Ｃは、図４に示す実施例２に係る風力発電装置１０Ｂにおいて、開口部１７−１〜１７−３が翼天板１６に設けられてなるものである。
【００３５】
翼天板１６に開口部１７−１〜１７−３を設けることで、異物回収ボックス１８が１つの場合よりも多くの異物１９を回収することができるため、異物１９の回収効率を向上させることができる。
【００３６】
また、本実施例においては、開口部１７−１〜１７−３を回転方向Ｒ側の風車翼１１の翼根部１５に設けるようにしているが、本発明はこれに限定されるものではなく、前記図１乃至図３に示した実施例１に係る第一の風力発電装置１０Ａのように、翼天板１６の中央部分に開口部１７−１〜１７−３を設けるようにしてもよく、または回転方向Ｒと反対側の風車翼１１の翼天板１６に開口部１７−１〜１７−３を設けてもよい。
【００３７】
本実施例においては、翼天板１６に三つの開口部１７−１〜１７−３を設けるようにしているが、本発明はこれに限定されるものではなく、風車翼１１、翼天板１６の大きさなど異物１９の発生量等に応じて開口部１７の数を適宜調整するようにする。
【実施例４】
【００３８】
本発明による実施例４に係る第四の風力発電装置について、図６を参照して説明する。
本実施例に係る風力発電装置は、前記図１乃至図３に示した実施例１に係る第一の風力発電装置１０Ａの構成と略同様であるため、前記図１乃至図３に示した実施例１に係る第一の風力発電装置１０Ａと同一構成には同一符号を付して重複した説明は省略する。
図６は、本発明による実施例４に係る風力発電装置の翼根部の部分構成を簡略に示す概略構成図である。
図６に示すように、実施例４に係る風力発電装置１０Ｄは、前記図１乃至図３に示した実施例１に係る第一の風力発電装置１０Ａにおいて風車翼１１の内部に異物１９を開口部１７に集めるガイド２３が設けられてなるものである。ガイド２３は風車翼１１の内壁１１ａから開口部１７に向けて傾斜した板状部材で形成されている。
【００３９】
風車翼１１の内側に開口部１７に向けて傾斜し、異物１９を開口部１７に集めるガイド２３を設けることで、風車翼１１内部の異物１９を開口部１７に移動させることができるため、異物１９の回収効率を向上させることができる。
【実施例５】
【００４０】
本発明による実施例５に係る第五の風力発電装置について、図７を参照して説明する。
本実施例に係る風力発電装置は、前記図１乃至図３に示した実施例１に係る第一の風力発電装置１０Ａの構成と略同様であるため、前記図１乃至図３に示した実施例１に係る第一の風力発電装置１０Ａと同一構成には同一符号を付して重複した説明は省略する。
図７は、本発明による実施例５に係る風力発電装置の異物回収ボックス部の部分構成を示す拡大図である。
図７に示すように、実施例５に係る風力発電装置１０Ｅは、前記図１乃至図３に示した実施例１に係る第一の風力発電装置１０Ａにおいて、弁（逆流防止部材）２０に代えて異物回収ボックス１８の内側に異物１９を吸着する接着剤（接着部）２４を塗布して形成されてなるものである。
【００４１】
異物回収ボックス１８の内壁側に接着部２４を設けることで、捕集された異物１９が接着部２４に吸着されるのでメンテナンス時には異物回収ボックス１８を交換するだけでよいため、異物回収ボックス１８のメンテナンスを短時間で容易に行うことができる。
また、異物回収ボックス１８に弁２０を設置する場合に比べ、本実施例では、接着剤２４を異物回収ボックス１８内に設けるだけであるため、異物回収ボックス１８を軽量とすることができると共に、構造を簡単にすることができる。
【実施例６】
【００４２】
本発明による実施例６に係る第六の風力発電装置について、図８を参照して説明する。
本実施例に係る風力発電装置は、前記図１乃至図３に示した実施例１に係る第一の風力発電装置１０Ａの構成と略同様であるため、前記図１乃至図３に示した実施例１に係る第一の風力発電装置１０Ａと同一構成には同一符号を付して重複した説明は省略する。
図８は、本発明による実施例６に係る風力発電装置の異物回収ボックス部の部分構成を示す拡大図である。
図８に示すように、実施例６に係る第六の風力発電装置１０Ｆは、異物回収ボックス１８が、翼天板１６に回動可能に設けられてなるものである。すなわち、異物回収ボックス１８の一方の壁面１８ａにヒンジ２５を設け、異物回収ボックス１８の他方の壁面１８ｂを着脱自在とすることで、異物回収ボックス１８が開閉可能となるようにしたものである。
【００４３】
異物回収ボックス１８内の異物１９を回収しメンテナンスをする際には異物回収ボックス１８を取り外す必要があるが、異物回収ボックス１８を翼天板１６に回動可能に設けることにより、翼天板１６から異物回収ボックス１８を取り外すことなく異物１９の回収を行うことができるため、異物回収ボックス１８内に回収した異物１９を取り出す際のメンテナンスを更に短時間で容易に行うことができる。
【実施例７】
【００４４】
本発明による実施例７に係る第七の風力発電装置について、図９を参照して説明する。
本実施例に係る風力発電装置は、前記図１乃至図３に示した実施例１に係る第一の風力発電装置１０Ａの構成と略同様であるため、前記図１乃至図３に示した実施例１に係る第一の風力発電装置１０Ａと同一構成には同一符号を付して重複した説明は省略する。
図９は、本発明による実施例７に係る風力発電装置の異物回収ボックス部の部分構成を示す拡大図である。
図９に示すように、実施例７に係る風力発電装置１０Ｇは、前記図１乃至図３に示した実施例１に係る第一の風力発電装置１０Ａにおいて、異物回収ボックス１８内に回収された異物１９を捕集する異物回収袋２６が設けられてなるものである。
【００４５】
異物回収ボックス１８内に異物回収袋２６を設けることで、異物回収袋２６内に捕集した異物１９をメンテナンス時に容易に運び出すことができるため、異物回収ボックス１８内に回収された異物１９の取り出しを容易に行なうことができる。
【００４６】
異物回収袋２６は異物１９を回収できればよく、その異物１９は例えば接着剤のカスなどに起因するものであるため、異物回収袋２６の材質は特に限定されるものではない。
【実施例８】
【００４７】
本発明による実施例８に係る第八の風力発電装置について、図１０を参照して説明する。
本実施例に係る風力発電装置は、前記図１乃至図３に示した実施例１に係る第一の風力発電装置１０Ａの構成と略同様であるため、前記図１乃至図３に示した実施例１に係る第一の風力発電装置１０Ａと同一構成には同一符号を付して重複した説明は省略する。
図１０は、本発明による実施例８に係る風力発電装置の異物回収ボックス部の部分構成を示す拡大図である。
図１０に示すように、実施例８に係る風力発電装置１０Ｈは、異物回収ボックス１８と翼天板１６との接触部分にパッキン２７が設けられてなるものである。パッキン２７は図１０に示すように、異物回収ボックス１８の端部１８ｃにのみ設けるようにしてもよい。または、異物回収ボックス１８と翼天板１６との気密性をより確実に確保するため、異物回収ボックス１８と翼天板１６との接触面の全面に設けてもよい。
【００４８】
異物回収ボックス１８と翼天板１６との接触部分にパッキン２７を設けることで、異物回収ボックス１８と翼天板１６との接触部分での気密性を確保することができるため、異物回収ボックス１８から水漏れが発生するのを防止することができる。
【実施例９】
【００４９】
本発明による実施例９に係る第九の風力発電装置について、図１１を参照して説明する。
本実施例に係る風力発電装置は、前記図１乃至図３に示した実施例１に係る第一の風力発電装置１０Ａの構成と略同様であるため、前記図１乃至図３に示した実施例１に係る第一の風力発電装置１０Ａと同一構成には同一符号を付して重複した説明は省略する。
図１１は、本発明による実施例９に係る風力発電装置の異物回収ボックス部の部分構成を示す拡大図である。
図１１に示すように、実施例９に係る風力発電装置１０Ｉは、異物回収ボックス１８の一部が透明部材で形成されてなるものである。すなわち、本実施例では、異物回収ボックス１８の底面の一部にのぞき窓（透明部材）２８を設けている。異物回収ボックス１８にのぞき窓２８を設けることで、異物回収ボックス１８内の異物１９の回収具合を瞬時に判断することができる。
【００５０】
また、本実施例においては、異物回収ボックス１８の底面の一部に透明部材としてのぞき窓２８を設けているが、本発明はこれに限定されるものではなく、異物回収ボックス１８の内部が確認できればよいため、異物回収ボックス１８の側面の一部にのぞき窓２８を設けても良いし、異物回収ボックス１８自体を透明部材で形成してもよい。
【産業上の利用可能性】
【００５１】
以上のように、本発明に係る風力発電装置は、風車翼内部に発生した異物を風車翼外部で回収し、その回収した異物を取り出す際のメンテナンスが容易であって、かつ短時間に行なうことができるため、風車翼の騒音を低減し、メンテナンスの効率を向上させる風力発電装置に用いるのに好適である。
【図面の簡単な説明】
【００５２】
【図１】本発明による実施例１に係る風力発電装置の風車翼とロータヘッドとの構成の一部を簡略に示す図である。
【図２】異物回収ボックスの構成を簡略に示す概略構成図である。
【図３】図２のＡ−Ａ方向から見た図である。
【図４】本発明による実施例２に係る風力発電装置の翼根部の部分構成を簡略に示す概略構成図である。
【図５】本発明による実施例３に係る風力発電装置の翼根部の部分構成を簡略に示す概略構成図である。
【図６】本発明による実施例４に係る風力発電装置の翼根部の部分構成を簡略に示す概略構成図である。
【図７】本発明による実施例５に係る風力発電装置の異物回収ボックス部の部分構成を示す拡大図である。
【図８】本発明による実施例６に係る風力発電装置の異物回収ボックス部の部分構成を示す拡大図である。
【図９】本発明による実施例７に係る風力発電装置の異物回収ボックス部の部分構成を示す拡大図である。
【図１０】本発明による実施例８に係る風力発電装置の異物回収ボックス部の部分構成を示す拡大図である。
【図１１】本発明による実施例９に係る風力発電装置の異物回収ボックス部の部分構成を示す拡大図である。
【図１２】従来の風力発電装置の構成の一例を簡略に示す図である。
【図１３】従来の風車翼の構成を簡略に示す図である。
【図１４】図１３のＡ−Ａ断面図である。
【図１５】従来の風車翼の内部の構成を簡略に示す図である。
【符号の説明】
【００５３】
１０Ａ〜１０Ｉ  第一〜第九の風力発電装置
１１  風車翼
１２  ロータヘッド
１５  翼根部
１６  翼天板
１７  開口部
１８  異物回収ボックス
１９  異物
２０  弁（逆流防止部材）
２１  翼旋回輪軸受
２２  ボルト
２３  ガイド
２４  接着部
２５  ヒンジ
２６  異物回収袋
２７  パッキン
２８  のぞき窓（透明部材）
【図１】
2010156293.tif 000003
【図２】
2010156293.tif 000004
【図３】
2010156293.tif 000005
【図４】
2010156293.tif 000006
【図５】
2010156293.tif 000007
【図６】
2010156293.tif 000008
【図７】
2010156293.tif 000009
【図８】
2010156293.tif 000010
【図９】
2010156293.tif 000011
【図１０】
2010156293.tif 000012
【図１１】
2010156293.tif 000013
【図１２】
2010156293.tif 000014
【図１３】
2010156293.tif 000015
【図１４】
2010156293.tif 000016
【図１５】
2010156293.tif 000017